(57)【要約】本発明は改良されたテンションマスク組立体（１０）を提供し、その組立体のマスク支持部材（４０，６０，７０，８０，９０）に第１側壁（４２，６２，７０，８２，９２）、第２側壁（４６，６６，７６，８６，９６）及び背面壁（４４，６４，７４，８４，９４）が設けられ、それらは、側壁４２の対応する孔（５０，８８）に受け入れられる背面壁のエッジに沿って形成されたタブ（４９，８７）により、又は背面壁に当接する第１の側壁に形成されたリッジ（６９，７９，８９，９９）により、互いに連結される。
2004530279.tif 000002
【特許請求の範囲】
【請求項１】
第１の側壁（４２，６２，７０，８２，９２）と；
第１の側壁から延びる第２の側壁（４６，６６，７６，８６，９６）と；
第２の側壁から延び、エッジに沿って形成された複数のタブ（４９，８７）を持つ背面壁（４４、６４，７４，８４、９４）と；
タブを受け入れて閉じた構造体を形成するため少なくとも第１側壁の部分に沿って延びる複数の孔（５０，８８）とを有する、
テンションマスク（３０）を受入れ、陰極線管（１）内のフレーム（２０）に取り付けるための中間支持部材（４０，６０，７０，８０、９０）。
【請求項２】
前記第１の側壁から延びる延長部分（４５，６５，７５，８５，９５）を更に有するとともに、テンションマスク受入れエッジ（４３，６３，７３，８３，９３）を持ち、前記テンションマスクは前記第１の側壁を前記背面壁に向けて押し付けることを補助する請求項１の単一の中間支持部材。
【請求項３】
第１の側壁（４２，６２，７０，８２，９２）と；
第１の側壁から延びる第２の側壁（４６，６６，７６，８６，９６）と；
第２の側壁から延びる背面壁（４４、６４，７４，８４、９４）と；
前記背面壁と第１の側壁に当接して閉じた管構造を形成するように第１の側壁の少なくとも一部に沿って延びるリッジ（６９，８９，９９）を有する、
テンションマスク（３０）を受入れ、陰極線管（１）内のフレーム（２０）に取り付けるための中間支持部材（４０，６０，７０，８０、９０）。
【請求項４】
リッジは複数の孔（８８）を形成する複数の打抜き部分（８９）を有する請求項３の単一の中間支持部材。
【請求項５】
背面壁は打抜き部分の間の対応する孔（８８）に嵌め込まれる複数のタブ（８７）を更に有する請求項４の単一の中間支持部材。
【請求項６】
第１の側壁（４２，６２，７０，８２，９２）と、第２の側壁（４６，６６，７６，８６，９６）と、それらの間で閉じたチャンネルを形成する背面壁（４４、６４，７４，８４、９４）とを有し、少なくとも１つの側壁は、更に少なくとも１つの側壁の一部に沿って延びるリッジ（６９，７９，８９，９９）を有し、背面壁はリッジにより固定される端部エッジを持つ、ＣＲＴ（１）用の支持部材（４０，６０，７０，８０，９０）を持つマスクフレーム組立体。
【請求項７】
支持部材は、他の側壁に形成された第２のリッジ（９７）を更に有する請求項６のマスクフレーム組立体。
【請求項８】
背面壁は両方のリッジの下方に位置する側壁に固定される請求項７のマスクフレーム組立体。
【発明の詳細な説明】
【技術分野】
【０００１】
本発明の技術分野
本発明は、テンションマスクを持つカラー陰極線管（ＣＲＴ）に係り、特に、テンションマスクをフレームに連結するための支持部材を持つテンションマスク組立体に関する。
【背景技術】
【０００２】
本発明の背景
陰極線管（ＣＲＴ）は３本の電子ビームを発射しＣＲＴのスクリーンに向ける電子銃を含んでいる。スクリーンはＣＲＴのフェースプレートパネルの内面に位置し、３つの異なる色を発する蛍光体の要素のアレイにより造られている。シャドウマスク又はフォーカスマスクのいずれかのカラー選択電極が銃とスクリーンとの間に介在され、各電子ビームが電子ビームに対応する蛍光体要素だけに当たるようにされている。
【０００３】
最近では、より平坦なフェースプレート  パネル持つＣＲＴがより望まれるようになっている。ＣＲＴがより平坦になるにつれて、平坦なシャドウマスクに対するニーズが出てくる。このような平坦なシャドウマスクは、管の作動中、振動、即ちマイクロフォニクスの影響を受けやすく、これはＣＲＴのディスプレイスクリーンに悪い影響を与える。アミクロフォニクスを抑制するために、シャドウマスクは伸長されて支持部材に溶接される。支持部材はフレームに固定されシャドウマスクのテンションを維持する。伸長されたこれらのマスクのタイプは一般にテンション−タイプ  シャドウマスクと呼ばれている。
【０００４】
テンションシャドウマスクを支持するのに使用されるマスクフレームと支持部材は、テンションマスクを支持するための手段を提供するため互いに溶接された金属シート構造により構成されることが有利である。このような構造の製造は、支持部材の強度を高めるために多くの溶接が必要となる結果、しばしば労力を費やし、比較的コストの高い作業となる。溶接作業は、また、支持部材を熱膨張にさらすことになり、それは支持部材に歪みを生じさせてマスクのスクリーンに対する位置に影響を与える。更に、ＣＲＴの製造過程において、テンションマスクフレーム組立体は約４６０℃を超える温度に曝される。この高さの温度において、溶接結合部は高い応力ポイントにおいて疲労クラックの誘発の可能性を受ける。
発明の概要
従って。本発明は、マスク支持部材が溶接する必要なしに互いに保持される側壁と後部壁が設けられた、ＣＲＴのための改良されたテンションマスクフレーム組立体を提供するものである。
【０００５】
本発明の実施例が提示され、ここではマスク支持部材の側壁と後部壁が後部壁に係合する１つの側壁上のリッジにより互いに係合する。これに替えて、支持部材の後部壁は縁に沿ってタブが形成され、各タブが好ましくはそこに貫通して形成された対応する孔によって受け入れられ、又は後部を側部に固定して閉じられた支持部材を形成するための複数のリッジの間に受け入れられる。更に、タブは側壁に孔との係合により固定され、どの２つの隣接する壁も移動することが制限されてマスク支持部材が捩れに対して固くなる。
図面の簡単な説明
本発明は、添付する図面を参照した例示により説明される；
図１はフェースプレートパネルの背面に設けられたテンションマスクフレーム組立体を持つカラー陰極線管（ＣＲＴ）の断面図である。
【０００６】
図２は図１のテンションマスクフレーム組立体の斜視図である。
【０００７】
図３は図２のテンションマスクフレーム組立体に使用される支持ブレード構造を形成するために使用されるシートの平面図である。
【０００８】
図４は図３の支持ブレード構造の部分正面図である。
【０００９】
図５は図４の線５−５に沿う断面図である。
【００１０】
図６は組み立ての際の支持ブレード構造の斜視図である。
【００１１】
図７は第1の代替的支持ブレード構造の部分端面図である。
【００１２】
図８は図７の線７−７に沿う第1代替的支持ブレード構造の断面図である。
【００１３】
図９は第２の代替的支持ブレード構造の部分正面図である。
【００１４】
図１０は図９の線１０−１０に沿う第２の代替的支持ブレード構造の断面図である。
【００１５】
図１１は第３の代替的支持ブレード構造の部分正面図である。
【００１６】
図１２は図１１の線１２−１２に沿う第３の代替的支持ブレード構造の断面図である。
【００１７】
図１３は第４の代替的支持ブレード構造の部分正面図である。
【００１８】
図１４は第４の代替的支持ブレード構造の断面図である。
本発明の詳細な説明
図１はフェースプレートパネル１３とファネル５により連結される管状ネック４を有するガラスエンベロープ２を持つカラー陰極線管１を示す。ファネル５は陽極ボタン６からパネル３に向かいネック４まで延びる内部導電コーティング（図示せず）を持つ。パネル３は観察フェースプレート８と周辺フランジ、即ち、ガラスフリットによりファネル５にシールされた側壁９を有する。３色蛍光スクリーン１２はパネル１３の内面により支持されている。スクリーン１２は三角状に配置された蛍光ラインを持つラインスクリーンで、各三角は３色の各蛍光ラインを含む。テンションシャドウマスク組立体１０はスクリーン１２に所定の間隔を置いて取り外し可能に設けられている。電子銃１３は、図１において点線で模式的に示されており、ネック４内の中央に設けられ、３本のインライン電子ビームを発生し、中央ビームと側部又は外側のビームがテンションマスク組立体１０を通り、収束通路に沿ってスクリーン１２に向けられる。
【００１９】
管１はファネルーネック接合の近傍に示された外部の磁気偏向ヨーク１４と共に使用されるように設計されている。起動されると、ヨーク１４は３本のビームを磁界に影響させ、ビームはスクリーン１２を矩形ラスター内で水平及び垂直方向にスキャンさせる。
【００２０】
テンションシャドウマスク組立体１０は、図２に示されるように、２つの長辺２２，２４と、２つの短辺２６，２８を含むフレーム２０を含む。フレーム２０の２つの長辺２２，２４は管の中央主軸Ｘに平行で、２つの短辺２６，２８は管の中央短軸Ｙに平行である。テンションシャドウマスク組立体１０は、シャドウマスクの短軸に平行で、それらの間において配置された細長い複数のスリット（図示せず）を持つ複数の金属ストリップ（図示せず）含む。中間支持部材４０はフレーム２０に固定され、支持部材４０の中央から端部まで高さを変えてシャドウマスク３０全体にわたり最良の曲線とテンションを許容するようにすることができる。
【００２１】
図３を参照すると、中間支持部材４０は点線に沿って折られた金属シートにより形成される。シートは複数の側壁：第１側壁４２、後部側壁４６及び背面壁４４、を持つように形成される。傾斜部分４８は背面壁４４に沿って延びている。マスク受入れエッジ４３は側壁延長部分４５の端部に沿って位置する。マスク受入れエッジ４３は好適に曲線状にされシャドウマスクがスクリーン２３３の内側曲面と合致するようにされている。複数の孔５０が延長部分４５への折曲げ線の近くに形成されている。後部側壁４６は側壁４２から背面壁４４に延びるようにして延びている。傾斜部分４８は背面壁４４から延び、エッジに沿って延びる複数のタブ４９を持つように形成されている。
【００２２】
図４は組み立てられた状態の中間支持部材４０を示し、図５はフレーム２０に取り付けられた中間支持部材４０を示している。組立体においては、シートは、側壁４２、後部側壁４６、背面壁４４及び傾斜部分４８が図３の点線に沿って図６に示されるように折り曲げられて図５の断面に最もよく示されるように、閉じた管状構造に形成される。背面壁４４は折られ、側壁４２の方向にタブ４９が孔５０に入るまで押し付けられる。孔５０はタブ４９が確実にフィットするようにサイズが定められている。一端、タブ４９が孔５０に挿入されて中間支持部材４０が完成すると、図５に示されるようにフレーム２０に固定される。固定具５２、又は他の適当な支持手段が中間支持部材４０を後部側壁４６においてフレーム２０に固定するために使用される。次に、シャドウマスク３０はマスク受入れエッジ４３に適用されてテンションシャドウマスク組立体１０が完成する。一端テンションマスク３０がマスク受入れエッジ４３に適用されると、ホースカンチレバーが延長部分４５に適用され、それにより側壁４２を傾斜部分４８に対して押し付けて中間支持部材４０を正しい位置に保持する。
【００２３】
図７及び８は中間支持部材の第１の代替実施例６０を示す。この第１の代替の中間支持部材６０は側壁６２、後部側壁６６、側壁６２に沿う延長部分６５を持つ点で類似している。しかしながら、背面壁６４は、側壁６２，６６の間で延び、異なった方法で固定される。背面壁は、図３−６の実施例のようにエッジに沿って形成されるタブを持っていない。その代わりに側壁６２の延長部分６５の丁度下側にリッジ６９が形成される。リッジ６９は中間支持部材６０の長さ全体にわたって延び、背面壁６４のエッジと当接し、側壁６２に対してそれを固定する役を果たす。この第１の代替的中間支持部材６０は同様にフレーム２０に固定され、また、同様にシャドウマスク３０をマスク受入れエッジ６３に沿って受ける。一旦テンションマスク３０がマスク受入れエッジ６３に適用されると、ホースカンチレバーが延長部分６５に適用されて、それにより側壁６２を背面壁６４に対して押し付ける。側壁６２が背面壁６４に押し付けられると、リッジ６９は、閉じた管状構造として図８に示されるように、中間支持部材４０を形成する。
【００２４】
図９と１０は第２の中間支持部材の代替的実施例７０を示す。この第２の代替的中間支持部材７０は、側壁７２、後部側壁７６、及び側壁７２に沿う延長部分７５を持つ点で類似している。しかしながら、背面壁７４は、側壁７２，７６との間に延び、側壁７２に別の方法で固定される。背面壁７４は、図３−６に示された実施例のようにエッジに沿って形成されたタブを持っていない。その代わりに、延長部分７５の下側で側壁７２内にその長さ方向に沿って打抜きリッジ部７９が形成される。打抜きリッジ部７９は背面壁７４のエッジに当接し、側壁７２に対してそれを固定する役を果たす。この第２の代替的中間支持部材７０は同様にフレーム２０に固定され、また、同様にシャドウマスク３０をマスク受入れエッジ７３に沿って受け入れる。
【００２５】
図１１と１２は中間支持部材の第３の代替的実施例８０を示す。この第３の代替的中間支持部材８０は、側壁８２、後部側壁８４及び側壁８２に沿って延長部分８５を持つ点で類似している。しかしながら、背面壁８４が側壁８２と後部側壁８６の間に延び、さらに同様な方法で側壁８２に固定される。ここでは、背面壁８４は図３−６の実施例に類似してエッジに沿って形成された複数のタブ８７を持っている。複数の打抜きリッジ部８９が側壁８２にその長さ方向に沿って、延長部分８５のちょうど下方位置に形成される。複数の打抜きリッジ部８９は背面壁８４のエッジに当接し、側壁８２に対してそれを固定するように働く。この第３の代替的中間支持部材８０は同様にフレーム２０に固定され、同様に、マスク受入れエッジ８３に沿ってマスクを受け入れる。この実施例は、図３−６のように、タブ８７が孔８８に固定されるため、側壁８２と背面壁８４は、中間支持部材８０にかかる捩れ応力の下で互いにスライドすることが防げるという利点を有する。
【００２６】
図１３と１４は中間支持部材の第４の実施例９０を示す。この第４の代替的中間支持部材９０は、側壁９２、後部側壁９６、及び側壁９２に沿った延長部分９５を持つ点で類似している。背面壁９４は、分離した部材で、側壁９２と後部側壁９６の間に延び、更に他の方法で側壁９２に固定される。ここでは、背面壁９４は図３−６に示された実施例のようにエッジに沿ってタブを持っていない。側壁９２に延長部９５の下側の位置に第１のリッジ９９が形成される。第２のリッジ９７が後部側壁９６の自由端部近傍に形成される。両方のリッジ９７、９９は好ましくは中間支持部材９０の長さ全体にわたり延びる。これらのリッジ９９，９７は、代わりに他の実施例に示されたように打抜きかれたリッジ部であってもよいことは理解されるべきである。また、背面壁９４は、図１１に示されたように、選択された選択的打抜きリッジ部の間で連結するためにそこに形成されるタブを持ってもようことも理解されるべきである。この第４の代替的中間支持部材９０は最初にリッジ９７又は９９を形成し、次いで、背面壁９４を挿入することにより組み立てられる。次に、他のリッジ９７，９９が背面壁９４を側壁９２，９６に固定して中間支持部材９０を完成するために形成される。これに代えて、リッジ９７と９９が形成されて背面壁９４がそれらの間に押し付けられ、そこでスナップ止めされて閉じた管状中間支持部材９０が完成する。第４の代替的中間支持部材９０は同様にフレーム２０にコーティングオされ、又、同様にマスク受入れエッジ９３に沿ってシャドウマスク３０を受け入れる。
【００２７】
本発明の利点は、閉じた管状構造体が構造体に沿って溶接することを必要とすることなく、中間支持部材として形成されることにある。これは、製造コストを大幅に節約し、このような構造体を製造するための時間と材料を低減する結果をもたらす。
【００２８】
以上述べたことは、本発明を実施するためのある可能性を示したものである。他の多くの実施態様が本発明の範囲と精神の範囲内において可能である。したがって、上述の記載は、説明のためのものであり、限定を加えるものではなく、また、本発明の範囲は添付のクレームとその均等物の全てによって与えられるものとみなされるべきである。
【図面の簡単な説明】
【００２９】
【図１】フェースプレートパネルの背面に設けられたテンションマスクフレーム組立体を持つカラー陰極線管（ＣＲＴ）の断面図である。
【図２】図１のテンションマスクフレーム組立体の斜視図である。
【図３】図２のテンションマスクフレーム組立体に使用される支持ブレード構造を形成するために使用されるシートの平面図である。
【図４】図３の支持ブレード構造の部分正面図である。
【図５】図４の線５−５に沿う断面図である。
【図６】組み立ての際の支持ブレード構造の斜視図である。
【図７】第1の代替的支持ブレード構造の部分端面図である。
【図８】図７の線７−７に沿う第1代替的支持ブレード構造の断面図である。
【図９】第２の代替的支持ブレード構造の部分正面図である。
【図１０】図９の線１０−１０に沿う第２の代替的支持ブレード構造の断面図である。
【図１１】第３の代替的支持ブレード構造の部分正面図である。
【図１２】図１１の線１２−１２に沿う第３の代替的支持ブレード構造の断面図である。
【図１３】第４の代替的支持ブレード構造の部分正面図である。
【図１４】第４の代替的支持ブレード構造の断面図である。
【国際公開パンフレット】
2004530279.tif 000003
2004530279.tif 000004
2004530279.tif 000005
2004530279.tif 000006
2004530279.tif 000007
2004530279.tif 000008
2004530279.tif 000009
2004530279.tif 000010
2004530279.tif 000011
2004530279.tif 000012
2004530279.tif 000013
2004530279.tif 000014
2004530279.tif 000015
2004530279.tif 000016
2004530279.tif 000017
2004530279.tif 000018
2004530279.tif 000019
【国際公開パンフレット（コレクトバージョン）】
2004530279.tif 000020
2004530279.tif 000021
【国際調査報告】
2004530279.tif 000022
2004530279.tif 000023